(57)【要約】【課題】細長状のマット上に、同一鉛直面上で平行に２本の糸を張設することにより、練習者は、マットを眺める視線上に２本の糸とゴルフボールとを揃え、２本の糸をパッティングラインの目安としてスイングするだけで、正確なスイングを簡単に体得できるようにすることにある。【解決手段】端部にグリーンが形成された細長状のマットに、一対の支持部材が、長手方向に沿って互いに対向するように取り付けられ、かつ前記一対の支持部材の間に、同一鉛直面上で平行に２本の糸を張設し、該２本の糸を、ボールのセット位置から前記グリーンのカップ位置に向かうパッティングラインとして設定し、該パッティングラインを目安にスイングするようにしたこと。【選択図】    図１
2005230398.tif 000002
【特許請求の範囲】
【請求項１】
端部にグリーンが形成された細長状のマットに、一対の支持部材が、長手方向に沿って互いに対向するように取り付けられ、かつ前記一対の支持部材の間に、同一鉛直面上で平行に２本の糸を張設し、該２本の糸を、ボールのセット位置から前記グリーンのカップ位置に向かうパッティングラインとして設定し、該パッティングラインを目安にスイングするようにしたことを特徴とするパット練習具。
【請求項２】
前記支持部材は、光子、電子、イオンなどからなる可視ビームを発射するための一対のビーム発射源を備え、該ビーム発射源から鉛直方向に平行に２本のビームを発するようにした請求項１に記載のパット練習具。
【発明の詳細な説明】
【技術分野】
【０００１】
本発明は、ゴルフのパット練習具に関し、特に、自宅などで簡単にパットの練習を行うことができるパット練習具に関する。
【背景技術】
【０００２】
従来より、この種のパット練習具として、例えば特許文献１に開示されている。同文献１のパット練習具は、図５に示すように、人工芝マット５１の両側に取り付けられた一対の脚部５２、５２と、該脚部５２、５２の間を横架するように配された横架部５３とからなる支持部材５４を備え、該支持部材５４は、ゴルフボールのセット位置を挟んで一対設けられ、一方の支持部材５４を他方の支持部材５４からマット長手方向に所定距離だけ隔てて配置し、かつこれら一対の支持部材５４、５４の間に２本の糸５５、５５を同一水平面上で平行に張設するようにしたものが開示されている。
【０００３】
これにより、練習者は、人工芝マット５１にゴルフボールをセットして、足の爪先が目標ライン（２本の糸５５、５５の中間ライン）に平行で、かつゴルフボールのセット位置が目の真下になるようにし、パターのヘッドを２本の糸５５の間に入れた状態で、２本の糸５５、５５の間からはみ出さないようにスイングする。このようなスイングを何度も繰り返すことで、練習者は、正確なスイングを次第に体得できるようにした。
【０００４】
このパット練習具では、練習者は、足の爪先で、一対の支持部材５４、５４の間に同一水平面上で平行に張設される２本の糸５５、５５を目安として、その中間付近にボールをセットし、スイングを繰り返すことによって、正確なスイングを体得するようになっている。
【特許文献１】特開２００１−２０１８４７号公報
【発明の開示】
【発明が解決しようとする課題】
【０００５】
ところで、パッティングでは、一般に、頭の位置を移動させず、アドレスからインパクトまでの瞬間までゴルフボールを目の真下に見下ろし、その視線と直角方向、すなわち、カップに向かう方向に沿って、正確にスイングする必要がある。
【０００６】
そのため、上記従来のパット練習具では、練習者は、人工芝マットに対して同一水平面上で平行に張設された２本の糸５５、５５を目安として、その中間ライン付近にゴルフボールをセットし、パターのヘッド面がカップに向かう方向と一致するようにセットする。すなわち、練習者は、２本の糸５５、５５を目安として、パターのヘッド面がカップに向かう方向と一致するようにセットし、その状態でスイングする必要がある。
【０００７】
ところが、２本の糸５５、５５は、同一水平面上で平行に張設されるので、人工芝マット上のゴルフボールと２本の糸５５、５５とは同一鉛直面上になく、練習者が、ゴルフボールを眺めると、その視線の先に、スイングの目安、すなわち、ボールのセット位置からカップ位置までのパッティングラインを形成する糸が存在しなくなる場合がある。そのため、パターのヘッド面のセットやスイングの目安が不安定であり、正確なスイングの体得が難しい。しかも、練習者は、パターのヘッドが２本の糸の間に挟まれた状態でスイングするため、糸がパッティング動作の邪魔になるという厄介さもあった。
【０００８】
そこで、本発明の目的は、細長状のマット上に、同一鉛直面上で平行に２本の糸を張設することにより、練習者は、マットを眺める視線上に２本の糸とゴルフボールとを揃え、２本の糸をパッティングラインの目安としてスイングするだけで、正確なスイングを簡単に体得できるようにすることにある。
【課題を解決するための手段】
【０００９】
本発明の上記目的は、端部にグリーンが形成された細長状のマットに、一対の支持部材が、長手方向に沿って互いに対向するように取り付けられ、かつ前記一対の支持部材の間に、同一鉛直面上で平行に２本の糸を張設し、該２本の糸を、ボールのセット位置から前記グリーンのカップ位置に向かうパッティングラインとして設定し、該パッティングラインを目安にスイングすることにより、達成される。
【００１０】
また、上記目的は、前記支持部材に、光子、電子、イオンなどからなる可視ビームを発射するための一対のビーム発射源を備え、該ビーム発射源から鉛直方向に平行に２本のビームを発するようにしたことにより、達成される。
【発明の効果】
【００１１】
以上のように、本発明に係るパット練習具によると、細長状マットに、一対の支持部材が、長手方向に沿って互いに対向するように取り付けられ、この支持部材の間に、２本の糸を同一鉛直面上で平行に張設することにより、前記２本の糸が、ボールセット位置から前記グリーンのカップまで延びるパッティングラインの目安として設定され、このラインを目安にスイングするようにした。これにより、練習者は、アドレス姿勢で人工芝マットを眼下に眺める視線上に、ゴルフボールと２本の糸とが一線になるようにゴルフボールをセットすることが容易になる。よって、２本の糸を目安としてパターヘッドをスイングするだけで、正確なスイングを簡単に体得することができる。
【発明を実施するための最良の形態】
【００１２】
以下、図面を参照しながら、本発明の実施形態を説明する。
【実施例１】
【００１３】
図１は、本発明に係るパット練習具の概略構成を示し、１は、表面に人工芝２が張られた細長状のマットであり、一方の端部は台座３に載置されている。この台座３は、図１の手前側から上り傾斜するように形成され、マット１の頂上部分が床に平行になるようになっている。
【００１４】
また、マット１の頂上部分には、グリーン４が形成され、グリーン４の中央に、ゴルフ場のカップと同じ大きさのホール５が設けられている。また、このホール５は、台座３の内部に形成されたガイド通路６を介して、マット１の外側に下り傾斜に形成されたリターン通路７に連通するようになっている。
【００１５】
ここで、リターン通路７は、ホール５に入らなかったボールを練習者の方へ戻るように案内するとともに、ホール５に入ったボールをガイド通路６から練習者の方へ戻るように案内するようになっている。
【００１６】
また、図１において、マット１の手前側に、一方の支持部材８が立設されるとともに、グリーン４の側に、他方の支持部材９が立設されている。この一対の支持部材８、９の間には、同一鉛直面上で平行に２本の糸１０、１０が張設されていて、マット１の長手方向に延びている。
【００１７】
このパット練習具では、練習者は、図２に示すように、マット１の上にゴルフボールを載せ、一対の支持部材８、９の間に張設される２本の糸１０を目安としてスイングするようになっている。すなわち、２本の糸が、マット１にセットされたゴルフボールからグリーン４のホール５に向かうパッティングラインを形成しており、２本の糸を目安にスイングを繰り返すことで、正確なスイングを自然と体得できるようになっている。
【００１８】
例えば、一対の支持部材８、９の間に１本の糸だけが張設される場合、練習者は、マット１を眺める視線上に、ゴルフボールと糸とが一線になるようにゴルフボールをセットしても、図３（ａ）及び（ｂ）に示すように、練習者の視線の角度が僅かにずれても、水平方向で糸とゴルフボール中心の間の距離Ｌがずれてしまう。そのため、練習者は、ゴルフボールに対するパターのヘッド面の方向をパッティングラインに揃えるのが難しくなり、糸をスイングやパッティングラインの目安にすることができなくなる。
【００１９】
これに対し、一対の支持部材８、９の間に２本の糸が張設される場合、練習者は、マット１を眼下に眺める視線上に、ゴルフボールと糸とが一線になるようにゴルフボールをセットすれば、図３（ｃ）及び（ｄ）に示すように、練習者の視線方向が多少ずれても、同一鉛直面上に張設された同一鉛直面上に２本の糸を目安に、パターのヘッド面を揃えるだけでよい。よって、スイング方向をパッティングラインの方向に容易に一致させることができ、２本の糸を目安にスイングするだけで、正確なスイングを簡単に体得することができる。
【００２０】
また、上記実施例では、スイングの目安として２本の糸を用いたが、他の変形例として、図４に示すように、糸の代わりに、光子、電子、イオンなどからなる可視ビームを用いてもよい。その場合、支持部材２０には、媒質を励起する励起光を発するレーザーなどの励起用光源２１、２２が鉛直方向に一対設けられ、該光源２１、２２から平行に２条の励起光を発射するようになっている。この励起光による可視ビームは、前記糸と同様の役割を果し、スイングの目安にすることができる。この場合も、上記実施例と同様の作用および効果を奏することができる。
【図面の簡単な説明】
【００２１】
【図１】本発明に係るパット練習具を斜め上方から眺めた図である。
【図２】練習者が、２本の糸を目安としてスイングする状態を説明する図である。
【図３】（ａ）および（ｂ）は、１本の糸を目安としてスイングする場合を説明する図であり、（ｃ）および（ｄ）は２本の糸を目安としてスイングする場合を説明する図である。
【図４】糸の代わりに可視ビームを用いた場合を説明する図である。
【図５】従来のパット練習具を示す斜視図である。
【符号の説明】
【００２２】
１      マット
３      台座
４      グリーン
５      ホール
６      ガイド通路
８      支持部材
９      支持部材
１０      糸
２０      支持部材
２１      励起用光源
２２      励起用光源
【図１】
2005230398.tif 000003
【図２】
2005230398.tif 000004
【図３】
2005230398.tif 000005
【図４】
2005230398.tif 000006
【図５】
2005230398.tif 000007